(57)【要約】      （修正有）【課題】ＡＣ電源が接続されているときに、各放送局から番組情報を獲得、更新し、電池の消耗を軽減することができる携帯型放送受信装置を提供する。【解決手段】携帯型放送受信装置は、特にデジタルテレビ放送を受信するときは部分受信を行っており、視聴している放送局の番組情報しか獲得することができない。携帯型放送受信機の電池を充電する際にＡＣ電源に接続することを利用し、ＡＣ電源が接続されているときに、受信可能な放送局を順次選局して、各放送局の番組情報を予め獲得しておくことにより、テレビを視聴していなくても番組情報を更新できるばかりか、番組情報取得により電池の消耗も防止することができる。【選択図】図１
2006203353.tif 000002
【特許請求の範囲】
【請求項１】
放送を選局し受信するチューナと、
受信された放送信号から番組情報を抽出可能な信号処理部と、
該抽出された番組情報を記憶する記憶手段と
充電可能な電源手段と、
該電源手段を充電するためのACアダプタ部と、
該ACアダプタ部がAC電源に接続中であるか否かを判断するAC接続判断手段を有し、
該AC接続判断手段が、該ACアダプタがAC接続中であると判断した場合に、チューナにより受信可能な各放送が順次選局され、該信号処理部により各番組情報が抽出されて該記憶部に記憶される携帯型放送受信装置。
【請求項２】
過去に受信可能であった放送局のリスト、又は現在受信可能な放送局のリストの少なくともどちらか一方を記憶するリスト記憶手段を有し、該リスト記憶手段に基づいて受信可能な放送を順次選局することを特徴とする請求項１に記載の携帯型放送受信装置。
【請求項３】
過去に受信可能であった放送局のリストの内で最近使用されたリスト、又は現在受信可能な放送局のリストを使用することを特徴とする請求項２に記載の携帯型放送受信装置。
【請求項４】
最も最近使用されたリストは、最近選局された放送局から判断されることを特徴とする請求項３に記載の携帯型放送受信装置。
【請求項５】
現在受信可能な放送局のリストは、チャンネルスキャンを行うことで作成されることを特徴とする請求項２に記載の携帯型放送受信装置。
【請求項６】
上記電源手段の充電中は、番組情報を取得しないようにすることができることを特徴とする請求項１乃至５に記載の携帯型放送受信装置。
【発明の詳細な説明】
【技術分野】
【０００１】
本発明は、デジタルテレビ放送受信機能を有する携帯機器に関する。
【背景技術】
【０００２】
デジタルテレビ放送においては、放送波の中に番組情報が含まれ、受信機はその情報を解析することで、受信している放送サービスの番組情報を取得することができる。しかし、地上デジタルテレビ放送では、受信しているサービスの番組情報を得ることはできるが、他のサービスの番組情報を取得するには、そのサービスを選局する必要があった。
【０００３】
また、携帯受信機器向けの部分受信サービスの場合、提供される番組情報は、最大１０番組まであって、一定時間、テレビ視聴を行っていないと、取得し保持している番組情報が古くなり、使用に耐えないものになる場合がある。
【０００４】
上記の事実に鑑み、サービスリストにある全てのサービスのサービスの最新番組情報を取得して保持しておく方法としては、テレビ視聴していないときに、サービスリストに従って順次サービスを選局し、番組情報を取得しておく方法が考えられる。しかし、携帯受信機は電池で駆動している場合が多く、その場合、頻繁にテレビ受信機能を起動し番組情報を取得することは、電池の消耗を早めテレビを視聴したい時に視聴できなかったり、電話機能を有する携帯受信機の場合であれば通話ができなくなることがあり、実用上問題となることが多々あった。
【０００５】
【特許文献１】特開２０００−６９４３６
【特許文献２】特開２００３−２９８９７０
【特許文献３】特開２００４−１７２７８５
【発明の開示】
【発明が解決しようとする課題】
【０００６】
受信できる全てのサービスの番組情報を取得するためには、テレビを視聴していないときに番組情報を取得する必要があり、そのために電池で駆動している携帯受信機では電池の消耗を早めるという欠点があった。
【課題を解決するための手段】
【０００７】
本願発明は、上記問題に鑑みなされたものであり、放送を選局し受信するチューナと、受信された放送信号から番組情報を抽出可能な信号処理部と、該抽出された番組情報を記憶する記憶手段と充電可能な電源手段と、該電源手段を充電するためのＡＣアダプタ部と、該ACアダプタ部がAC電源に接続中であるか否かを判断するAC接続判断手段を有し、該AC接続判断手段が、該ACアダプタがAC接続中であると判断した場合に、チューナにより受信可能な各放送が順次選局され、該信号処理部により各番組情報が抽出されて該記憶部に記憶される携帯型放送受信装置である。
【０００８】
さらに本願発明は、過去に受信可能であった放送局のリスト、又は現在受信可能な放送局のリストの少なくともどちらか一方を記憶するリスト記憶手段を有し、該リスト記憶手段に基づいて受信可能な放送を順次選局するように構成することができる。
【０００９】
さらに本願発明は、過去に受信可能であった放送局のリストの内で最近使用されたリスト、又は現在受信可能な放送局のリストを使用するように構成することもできる。
【００１０】
さらに本願発明は、最も最近使用されたリストは、最近選局された放送局から判断されるように構成してもよい。
【００１１】
一方、本願発明は、現在受信可能な放送局のリストは、チャンネルスキャンを行うことで作成されるようにしてもよい。
【００１２】
また、本願発明は、上記電源手段の充電中は、番組情報を取得しないようにすることもできる。
【発明の効果】
【００１３】
本願発明のように、AC電源が接続されているときに、各放送局から番組情報を獲得することにより、テレビを視聴していなくても番組情報を更新することができ、且つ電池の消耗を軽減することができる。
【発明を実施するための最良の形態】
【００１４】
本発明による携帯型テレビ受信機の実施形態を、以下に図を参照しながら説明を行う。
【００１５】
図１に、本発明による実施形態である携帯型テレビ受信機についての機能ブロック図を示す。図１に示すように、テレビアンテナ（１０１）、テレビチューナ（１０２）、信号処理装置（１０３）、スピーカ（１０４）、制御装置（１０５）、表示装置（１０６）、キー入力装置（１０７）、ＲＡＭ（１０８）、ＮＶＲＡＭ（不揮発性ＲＡＭ）（１０９）、電池（１１０）、充電制御（１１１）、ＡＣアダプタ（１１２）より構成されている。
【００１６】
本実施形態では、ＴＶアンテナ（１０１）でテレビ放送電波が受信され、テレビチューナ（１０２）で、受信する放送局を選択し、受信された放送受信データをデコードしてＴＳ（トランスポートストリーム）を出力する。テレビチューナ（１０２）から出力されたＴＳは、信号処理装置（１０３）で、映像データや音声データと、チャンネル情報や番組情報などを記述したＰＳＩ／ＳＩなどのデータ放送データに分離し、表示装置（１０６）で映像データやデータ放送データ、チャンネル情報や番組情報の表示を行い、スピーカ（１０４）で音声データの出力を行う。キー入力装置（１０７）は複数のキーから構成され、キー入力装置（１０７）を操作することで、選局したり、各種の設定を行ったり、或いは電話機能を有する場合は、電話操作を行いことができる。各種アプリケーションソフトウエアや設定パラメータ、番組情報などの取得データはＮＶＲＡＭ（１０９）に記憶され、各動作中に一時的に保持しておく必要のあるデータ等はＲＡＭ（１０８）に記憶される。制御装置（１０５）は、キー入力装置（１０７）による入力に基づいて、各機能のアプリケーションソフトウェアを起動したり、各部の動作を制御する。電池（１１０）は、充電可能であり、各部に必要な電力を供給する。充電制御（１１１）は、ＡＣアダプタ（１１２）がＡＣに接続されたことを検出し、電池（１１０）を充電するための制御を行う。
【００１７】
図１に示す各機能ブロックは夫々独立した回路である必要はなく、この構成に限定される必要はない。図１に示された複数の機能ブロックが一つの回路やＩＣチップ等で構成されることがありえるのは自明のことである。
【００１８】
次に、ＮＶＲＡＭ（１０８）に格納に格納されている番組情報テーブル（２）の一例を図２に示す。
【００１９】
図２に示すように、番組情報は、夫々のサービス毎に、最大１０番組の情報が送られてくるので、受信可能なサービス毎に最大で１０個の番組情報が登録できるようになっている。サービスとは、アナログテレビのチャンネルに相当するものである。サービスは、サービスＡからサービスＬまで登録できるようになっており、そのサービス毎に番組１から番組１０までの番組情報が記憶できる。各番組情報には、少なくとも番組ＩＤ、開始時間、終了時間、番組名が記憶できるようになっている。ここで、終了時刻の変わりに番組時間長（番組の長さ）を記憶するようにしてもよい。
【００２０】
次に、番組情報テーブル２を表示装置（１０６）に表示している一例を図３に示す。
【００２１】
図３に示すように、番組リスト画面のタイトル（３０１）とともに、表示している番組を放送している放送局情報（３０２）として放送局名（ＴＳ名）（この場合は、ＮＨＫ総合）、リモコンキーのＩＤ（この場合は、２）、３桁番号（この場合は、０１１）が表示される。現在視聴中の番組はリストの最上行に表示されている（３０３）。番組名と番組情報が表示されている。これに続いて、次に放送される番組が表示されている（３０４）。次の番組は予約されていることを表す「予」という文字が表示されている。
【００２２】
次に、ＮＶＲＯＭ（１０９）に格納されているサービスリスト（４）（受信可能なサービスの一覧であって、最大１２個のサービスを登録できるリスト）の内容を図４に示す。
【００２３】
図４に示すように、本装置ではサービスリストを６つまでもつことができ、それぞれのサービスリストにはサービスＡからサービスＬまでの１２個のサービスを登録できるようになっている。各サービスリストにはリモコンキーＩＤの対応する位置に登録され、各サービス情報には、少なくとも物理チャンネル、３桁番号、リモコンキーＩＤ、ＴＳ名が登録される。
【００２４】
次に、ＮＶＲＡＭ（１０９）に格納された設定情報テーブル（５）にあるラストチャンネル情報と充電中の番組情報取得可能フラグを図５に示す。
【００２５】
設定情報テーブルは、装置１の動作を規定するいろいろな情報が格納されているが、図５は、その中で本発明に関係する二つの項目を図示している。ラストチャンネル情報（５０１）は、最後に視聴したサービスの情報を保持している。ここでは、サービスリスト（４）のリスト１からリスト６のどのリストであるかを特定するリスト番号を示し、サービス番号は、サービスリスト（４）のサービスＡからＬのどのサービスであるかを特定するサービス番号を示している。
【００２６】
一方、充電中取得フラグ（５０２）は、充電中の番組情報取得の可否を規定していて、０の場合は、充電中の番組情報取得を可能にし、０以外の場合は充電中の番組情報取得を不可能にすることを意味している。
【００２７】
次に、本発明の携帯テレビ受信機（１）における、ＡＣ電源供給中に番組情報を自動的に取得し、番組情報テーブル（２）に格納するタスクのステップを図６から図９に示す。
【００２８】
図６に示すように、まず初期処理を行う（Ｓ１００）。初期処理には、作業メモリのクリア、時間待ちタイマーの初期化などがある。初期化が終了したら、携帯テレビ受信機（１）がＡＣ電源に接続されるまで待つ（Ｓ１０１）。ＡＣ電源に接続されたら、充電チェックを行い（Ｓ１０２）、ＯＫであれば次のステップに進み、ＯＫでなければ、Ｓ１０１に戻る。
【００２９】
具体的には、ＡＣ電源に接続されたかどうかは、ＡＣアダプタが接続されたかどうかを電気的に導通がなされたかどうかをチェックするなど公知の如何なる方法であっても構わない。また、充電チェックについては、電池の端子電圧を閾値と比較するなどの公知の方法で行えばよい。
【００３０】
次に、テレビチューナ（１０２）を使用する機能、例えばテレビ視聴や録画を実行していないかどうかを検出し（Ｓ１０４）、実行中であるならば（Ｓ１０５）、テレビチューナ（１０２）を使った機能の動作が終了するのを待つ（Ｓ１０６）。
【００３１】
テレビチューナ（１０２）を使用する機能を実行していないか（Ｓ１０５）、テレビチューナ（１０２）を使った機能の動作が終了すると（Ｓ１０６）、もう一度ＡＣ電源に接続されていることを確認し（Ｓ１０７）、充電チェックも再度行う（Ｓ１０８）。ＡＣ電源が接続されていないか（Ｓ１０７）、充電チェックがＯＫでない場合は（Ｓ１０９）、Ｓ１０１にもどる。
【００３２】
ＡＣ電源が接続されていて（Ｓ１０７）、充電チェックがＯＫであれば（Ｓ１０９）、図７に示すように、ラストチャンネル情報から現在使用中のチャンネルリスト番号を取得する（Ｓ１２０）。続いて、特定されたチャンネルリストの最初のサービス情報を取得する（Ｓ１２１）。
【００３３】
すなわち、テレビチューナ（１０２）を使用する機能が動作中か否かを判断し、テレビチューナ（１０２）を使用する機能が動作中の場合は（Ｓ１２２）、Ｓ１４４に制御を移し、動作中でない場合は（Ｓ１２２）、そのサービスを選局する（Ｓ１２３）。選局が正常になされたならば（Ｓ１２４）、選局されたサービスの番組情報を取得する（Ｓ１２５）。番組情報が正常に取得されたら（Ｓ１２６）、必要な番組情報を番組情報テーブル（２）に登録する。Ｓ１２４で正常に選局できなかったり、Ｓ１２６で正常に番組情報が取得できないと判断された場合は、対応するサービスの番組情報テーブルをクリアする（Ｓ１２８）。
【００３４】
続いて、図８に示すように、次のサービス情報を取得する（Ｓ１４０）。具体的には、使用中のチャンネルリスト（４）より次のサービス情報を取得し、Ｓ１２２からＳ１２８までと同様の処理を行い、全てのサービスに関する番組情報が取得されるまで繰り返す（Ｓ１４１）。そして、使用中のチャンネルリスト（４）における全てのサービスに関する番組情報の取得が完了したならば（Ｓ１４１）、全てのサービスで正常に番組情報の取得が完了したかどうかを判断する。
【００３５】
全サービスの番組情報取得が正常に終了したならば（Ｓ１４２）、次の番組情報リスト作成を開始するまでの待機時間である待ち時間１を制御装置（１０５）内に設けられたタイマーに設定する。一方、1つでも番組情報の取得が正常に終了しなかったサービスがある場合は、次の番組情報リスト作成を開始するまでの待機時間である待ち時間２を制御装置（１０５）内に設けられたタイマーに設定する。そして、設定された待ち時間だけ待機し、Ｓ１０１に戻る。
【００３６】
ここで待ち時間１は、待ち時間２に比べて長く設定されている。
【００３７】
図９は、Ｓ１０２とＳ１０８で行っている充電チェックの処理の詳細を示している。図９に示すように、充電中の番組情報取得が許可されているかを調べる（Ｓ１６０）。許可されていなければ（Ｓ１６０）、充電中か否かを調べる（Ｓ１６１）。充電中であれば（Ｓ１６１）、充電が終了するまで待って（Ｓ１６２）、まだＡＣ電源に接続されているかどうか検出し（Ｓ１６３）、電源が接続されていれば（Ｓ１６３）、ＯＫを、そうでなければＮＧを返す。また、Ｓ１６０で充電中の番組情報取得が許可されていれば、そのままＯＫを返す。
【００３８】
また、図４において６種類のチャンネルリストが記憶されている例が示されているが、この数は６種類に限定されるものではない。
【００３９】
また、図７のＳ１２０において、最後に利用したチャンネル情報から使用中のチャンネルリスト番号を取得する例を示しているが、このタイミングでチャンネルスキャンを行い、現時点での受信可能チャンネルのリストを作成し、そのリストを使用するようにしても構わない。
【００４０】
本実施例では、テレビ放送の受信の例について説明したが、ラジオ放送など他の放送形態であっても同様であることは明らかである。
【００４１】
本発明は、上記実施形態に限定されるものではなく、本発明の技術思想に基づく様々な形態が可能である。
【図面の簡単な説明】
【００４２】
【図１】本発明の実施形態のブロック図
【図２】番組情報テーブル
【図３】番組情報テーブルの表示例
【図４】サービスリスト
【図５】設定情報テーブル
【図６】本発明の実施形態における番組情報自動取得のフローチャート１
【図７】本発明の実施形態における番組情報自動取得のフローチャート２
【図８】本発明の実施形態における番組情報自動取得のフローチャート３
【図９】充電チェック処理のフローチャート
【符号の説明】
【００４３】
１         携帯テレビ受信機
１０１      テレビアンテナ
１０２      テレビチューナ
１０３      信号処理装置
１０４      スピーカ
１０５      制御装置
１０６      表示装置
１０７      キー入力装置
１０８      ＲＡＭ
１０９      ＮＶＲＡＭ
１１０      電池
１１１      充電制御
１１２      ＡＣアダプタ
【図１】
2006203353.tif 000003
【図２】
2006203353.tif 000004
【図３】
2006203353.tif 000005
【図４】
2006203353.tif 000006
【図５】
2006203353.tif 000007
【図６】
2006203353.tif 000008
【図７】
2006203353.tif 000009
【図８】
2006203353.tif 000010
【図９】
2006203353.tif 000011